(57)【要約】【課題】構成が簡単で、ロックの信頼性を確実にし、カードを確実に引き止めることができるメモリーカードコネクタを提供する。【解決手段】メモリカードコネクタは、ハウジング１、基座２、端子３、スライド座４およびスプリング５を備える。端子３は基座３の中に配置され、スプリング５、スライド座４および基座２はハウジング１内に装着され、ハウジング１、基座２およびスライド座４はメモリーカードの収容室を共に構成している。基座２は収容室の後端に位置付けられ、収容室は前端にメモリーカードの差込口を有する。ハウジング１は、一側壁に弾性片１１を有する。スライド座４は、弾性片１１に対応する側壁４１に開口溝４２を有し、開口溝４２へと連続する開口部を有する。開口溝４２は内部にフック７を有し、開口溝４２の第一接続部とフック７の第二接続部が互いに対応するように設けられている。【選択図】図１
0003140066.tif 000002
【実用新案登録請求の範囲】
【請求項１】
ハウジング、基座、端子、スライド座およびスプリングを含み、端子は基座に配置され、スプリング、スライド座および基座はハウジング内に装着され、ハウジング、基座およびスライド座はメモリーカードの収容室を構成し、基座は収容室の後端に位置付けられ、スライド座は収容室内を往復運動し、収容室は前端にメモリーカードの差込口を有するメモリーカードコネクタであって、
ハウジングは一側壁に弾性片を有し、メモリーカードは弾性片に対応する側辺に固定溝を有し、スライド座は弾性片に対応する側壁に開口溝を有し、スライド座は側壁に横向きに貫通してかつ側壁上の開口溝へと連続する開口部を有し、スライド座の開口溝は内部にフックを有し、開口溝は第一接続部を有し、フックは第二接続部を有し、第二接続部と第一接続部は互いに対応するように設けられ、メモリーカードを押しながらスライド座を基座の方向へ移動させる場合、弾性片はフックを開口溝内において作動させ、メモリーカードが差し込まれる場合、フックはスライド座の側壁上の開口部から収容室内のメモリーカードの側辺の固定溝内に入り込むことを特徴とするメモリーカードコネクタ。
【請求項２】
第一接続部は、陥凹溝であり、陥凹溝はスライド座の側壁上の開口部へと連続し、第二接続部は突出部であり、突出部は下向きにして移動可能なように陥凹溝に嵌め込まれることを特徴とする請求項１に記載のメモリーカードコネクタ。
【請求項３】
フックは、本体を有し、突出部は本体の上に形成され、本体はヘッド部、第一アームおよび第二アームを有し、ヘッド部はスライド座の側壁上の開口部に向かい、第一アームは収容室内の前端へ延伸され、第二アームは収容室の後端へ延伸され、第一アームはハウジングの側壁に向かう第一端面を有し、第二アームはハウジングの側壁に向かう第一端面を有し、第一アームの第一端面と第二アームの第一端面とは交差し、弾性片は折り曲げられ、かつ折り曲げ箇所から収容室の後端へ延伸される後アームと折り曲げ箇所から差込口へ延伸される前アームとを有し、メモリーカードが差し込まれる前、第二アームの第一端面は弾性片の前アームに突き当たることを特徴とする請求項２に記載のメモリーカードコネクタ。
【請求項４】
第一接続部は、突出部であり、突出部とスライド座の側壁上の開口部とは隣り合うように設けられ、第二接続部は陥凹溝であり、陥凹溝と突出部とは合わせられるように設けられていることを特徴とする請求項１に記載のメモリーカードコネクタ。
【請求項５】
フックは、本体を有し、陥凹溝は本体の上に形成され、本体はヘッド部、第一アームおよび第二アームを有し、ヘッド部はスライド座の側壁上の開口部に向かい、第一アームは収容室内の前端へ延伸され、第二アームは収容室の後端へ延伸され、第一アームはハウジングの側壁に向かう第一端面を有し、第二アームはハウジングの側壁に向かう第一端面を有し、第一アームの第一端面と第二アームの第一端面とは交差し、弾性片は裏向きに折り曲げられ、かつ折り曲げ箇所から収容室の後端へ延伸される後アームと折り曲げ箇所から差込口へ延伸される前アームとを有し、メモリーカードが差し込まれる前、第二アームの第一端面は弾性片の前アームに突き当たることを特徴とする請求項４に記載のメモリーカードコネクタ。
【請求項６】
フックのヘッド部は、スライド座の側壁上の開口部に向かう楔形の構成で、かつスライド座の側壁上の開口部に向かう頂面と、頂面と第一アームを連結する第一肩面と、頂面と第二アームを連結する第二肩面とを有することを特徴とする請求項３または請求項５に記載のメモリーカードコネクタ。
【請求項７】
フックの第一アームは、第一端面へと連続する頂面と、頂面へと連続する第二端面とを有し、第二端面とフックのヘッド部の第一肩面とは交差し、フックの第二アームは第一端面へと連続する頂面と、頂面へと連続する第二端面と、第二端面へと連続する第三端面とを有し、第三端面とフックのヘッド部の第二肩面とは交差することを特徴とする請求項６に記載のメモリーカードコネクタ。
【請求項８】
メモリーカードが差し込まれる時、フックのヘッド部の第二肩面はスライド座の側壁上の開口部の端面とメモリーカードの側辺の固定溝の端面に接触することを特徴とする請求項７に記載のメモリーカードコネクタ。
【請求項９】
メモリーカードが差し込まれる時、フックの第二アームの第一端面は弾性片の前アームと後アームの折り曲げ箇所に突き当たることを特徴とする請求項７に記載のメモリーカードコネクタ。
【請求項１０】
突出部は、円柱体であることを特徴とする請求項２、請求項３、請求項４または請求項５に記載のメモリーカードコネクタ。
【考案の詳細な説明】
【技術分野】
【０００１】
本考案はコネクタに関し、特にメモリーカードコネクタに関する。
【背景技術】
【０００２】
現今のメモリーカードコネクタは、コネクタ内のメモリーカードの接続を安定させるために、通常、メモリーカードをロックする機構を備える。ロック機構の実施方法は様々であり、そのうちの一つは特許文献１により開示される係止装置付き電子カードの電気的接続器である。このものは、少なくとも一つのスリットを有する絶縁本体と絶縁本体に内蔵される若干の端子とを含み、絶縁本体のスリットは内部に細長い弾性ピンを有し、弾性ピンは突起部を有する。
【０００３】
また、絶縁本体のスリットは内部に金属弾性緩衝片を有し、金属弾性緩衝片は弾性アームを有し、緩衝片は弾性アームの第一支持部上において弾性ピンに突き当たり、その脚部が絶縁本体のスリットに隣接する側壁上に付着し、湾曲部位が弾性アームと脚部の間に形成される。
【０００４】
もう一つは、特許文献２により開示される電子カードコネクタである。このものは、導電端子を有する絶縁フレームと、電子カードの前進と後退を誘導するために絶縁フレーム上に装着される取り出し機構と、絶縁フレームの外周面を被覆する遮蔽体とを含み、取り出し機構は係合体を有し、係合体は互いに連結しながら適切な距離を保つ連結アームと係止アームを有し、連結アームは取り出し機構のスライド可能なピンの上に連結され、係止アームは連結アームに対して弾性的に作動し、遮蔽体はストッパーを有する。
【０００５】
電子カードを差し込む場合、電子カードは取り出し機構のスライド可能なピンに沿って移動し、同時に、係合体の係止アームはストッパーまで移動し、それに突き当たるため、係止アームは連結アームに対する動作ができなくなる。従って、電子カードの一側に突き当たる係止アームは、電子カードを固定ロックすることが可能である。
【０００６】
またもう一つは、特許文献３により開示されるメモリーカードコネクタである。このものは、フレームに密封板を被せて形成されたハウジングと、フレーム内を自在に移動可能なように装着されるスライド座と、カードを取り出す方向に沿ってスライド座に弾力を加える復元スプリングと、スライド座上に装着されかつ突出部を有して部分的にロックするスプリングとを含み、かつ部分的にロックするスプリングの突出部とメモリーカードの一側面の陥凹部との組み合わせにより、メモリーカードを部分的にロックすることが可能である。
【０００７】
ハウジングは、カードの飛び出しを防止するために、内壁側においてカードを差し込む方向に前進するのに伴って部分的にロックするスプリングから離れる側に傾いていく傾斜面を有する傾斜筋を有する。カードを取り出す場合、傾斜筋と部分的にロックするスプリングとを接触させることにより、部分的にロックするスプリングの湾曲変形を抑制すれば、スプリングを設定し直すことによりメモリーカードが飛び出す現象を防止することが可能である。
【０００８】
またもう一つは、特許文献４により開示されるメモリーカードコネクタである。このものは、ボックス形のハウジング、接触ブロック、スライド機構、スプリング、ハート形のカム機構、ロック機構および突出状の制限部を含む。ボックス形のハウジングは、前部の中央にメモリーカードを差し込むカードの差込口を有する。接触ブロックは、ハウジング内部の後端の近くに装着され、かつその接触部がカードの差込口に向かい合いながら突出するように配列される数多くの接触点を有し、接触点はメモリーカードのＩ／Ｏ接触端子に接触する。
【０００９】
スライド機構は、接触ブロックとカードの差込口との間に位置するようにハウジング内部に装着され、かつハウジングの縦方向に沿ってスライド可能である。また、スライド機構は接触部と数多くのアームを有し、接触部はカードの差込口からハウジング中まで差し込まれるメモリーカードの前端に接触可能であり、アームはメモリーカードの側辺縁部を誘導し、かつメモリーカードに対応して移動可能であり、スライド機構はメモリーカードに伴ってスライド可能である。
【００１０】
スプリングは、ハウジング内部に装着され、カードの差込口に向かい合いながらスライドに圧力を持続的に加える。ハート形のカム機構は、ハウジング内部に装着され、かつハート型のカムとそれを囲むように配置される誘導溝とを有する。ロック機構は、一端に縦方向に沿って配置される誘導ピンを有し、誘導ピンはハート形のカム機構の誘導溝に嵌め込まれ、かつ誘導溝に沿ってスライド可能である。また、ロック機構は、別の一端に回転軸を有し、回転軸は回転しながらスライド機構の側部上に装着される支持部を通過することが可能である。
【００１１】
また、誘導ピンは、スライド機構に対応しながら縦方向上、誘導溝に沿って移動し、ロック機構は回転軸を囲みながら回転するため、スライド機構がハウジングの縦方向上の一番後の位置まで移動し、メモリーカードに加えた圧力が解放される場合、誘導ピンはそれに対応し、ハート形のカム上の所定の位置に配置される陥凹溝中に嵌め込まれるのに対し、ロック機構は所定の位置においてスライド機構の移動を制限する。突出状の制限部はハウジングの縦方向に沿ってロック機構の中央部に配置され、スライド機構の移動を制限する所定の位置においてロック機構に対応して回転可能であり、また、突出状の制限部はメモリーカードに突出し、メモリーカード上に配置されるロック用陥凹溝に嵌め込まれる。
上述した通り、現今のロック機構の構成は、非常に複雑なことが判明している。
【００１２】
【特許文献１】中華人民共和国特許公開第ＣＮ２４０５３３７号明細書
【特許文献２】中華人民共和国特許公開第ＣＮ２７４６６００号明細書
【特許文献３】中華人民共和国特許公開第ＣＮ１７５５９９０号明細書
【特許文献４】中華人民共和国特許公開第ＣＮ１６９２５３１号明細書
【考案の開示】
【考案が解決しようとする課題】
【００１３】
本考案の主な目的は、上述した現今の技術の欠点を改善するために、ロック機構の構成を簡単化し、ロックの信頼性を確実にし、かつカードを取り出す際にカードを落とさないように確実に引き止めることを可能にするメモリーカードコネクタを提供することである。
【課題を解決するための手段】
【００１４】
上述の目的を達成するために、本考案によるメモリーカードコネクタは、ハウジング、基座、端子、スライド座およびスプリングを含み、そのうち端子は基座の中に配置され、スプリング、スライド座および基座はハウジング内に装着され、ハウジング、基座およびスライド座はメモリーカードの収容室を共同構成し、基座は収容室の後端に位置付けられ、スライド座は収容室内を往復運動し、収容室は前端にメモリーカードの差込口を有し、ハウジングは一側壁に弾性片を有し、メモリーカードは弾性片に対応する側辺に固定溝を有し、スライド座は弾性片に対応する側壁に開口溝を有し、スライド座は側壁に横向きに貫通してかつ側壁上の開口溝へと連続する開口部を有し、スライド座の開口溝は内部にフックを有する。開口溝は第一接続部を有し、フックは第二接続部を有し、第二接続部と第一接続部は互いに対応するように設けられる。
【００１５】
メモリーカードを押しながら、スライド座を基座方向へ運動させる場合、弾性片はフックを開口溝内において作動させるように強制し、また、メモリーカードを差し込んだ場合、フックはスライド座の側壁上の開口部から収容室内のメモリーカードの側辺の固定溝内に入り込む。
従来の技術に比べて本考案によるメモリーカードコネクタは、構成が簡単で、ロックの信頼性が高いだけでなく、カードを取り出す際に、カードを落とさないように確実に引き止めることが可能である。
【考案を実施するための最良の形態】
【００１６】
以下、図面に基づいて本考案を説明する。
（第１実施例）
本考案の第１実施例によるメモリーカードコネクタを、図１から図３に示す。ハウジング１、基座２、端子３、スライド座４、スプリング５、誘導ピン６およびフック７などを含み、そのうち端子３は基座２の中に配置され、スプリング５、スライド座４および基座２はハウジング１内に装着され、ハウジング１、基座２およびスライド座４はメモリーカードの収容室を共に構成する。スライド座４は、側壁４１の外側に近い箇所に開口溝４２を有し、側壁４１は図２に示すように、内側に開口部４１１を有し、側壁４１の開口部４１１はそれに対応する端面４１１１を有し、開口溝４２は横向きの陥凹溝４２１、即ち、第一接続部を有し、陥凹溝４２１と開口部４１１は連続するように設けられる。
【００１７】
フック７の具体的な構成は図３に示すように、一体となるヘッド部７２、第一アーム７３、第二アーム７４およびそれらの三者が交差した箇所に横向きに形成される円柱体の突出部７１、即ち、第二接続部を有する。ヘッド部７２の側端面は、メモリーカードをロックする際にメモリーカードの側辺の固定溝の底面に対応する頂面７２１と、コネクタ内においてメモリーカードを押す際にメモリーカードの側辺の固定溝の後側面に対応する第一肩面７２２と、メモリーカードをロックする際にメモリーカードの側辺の固定溝の前側面に対応する第二肩面７２３とを有する。第一アーム７３の側端面は、第一端面７３１、頂面７３２、第一肩面７２２へと連続する第二端面７３３を有する。第二アーム７４の側端面は、第一端面７４１、頂面７４２、第二端面７４３、第二肩面７２３へと連続する第三端面７４４を有する。
【００１８】
フック７は、開口溝４２中に装着され、フック７の突出部７１は陥凹溝４２１中に嵌め込まれ、かつフック７は突出部７１を介して陥凹溝４２１内を移動回転することが可能であり、フック７のヘッド部７２は開口部４１１からコネクタにおけるメモリーカードの収容室中に入り込み、かつスライド座と収容室内に据えられるメモリーカードの側辺の固定溝との組み合わせにより、メモリーカードを収容室内に固定することが可能である。
【００１９】
以下、図１から図３に示すフック７と開口溝４２などの構成を結合させたメモリーカードコネクタの第１実施例にメモリーカードを差し込む過程について、詳細な説明を進める。
１．メモリーカードが差し込まれる前の状態を図４に示す。弾性片１１とフック７の作用点は別々に弾性片１１の前アーム１１１とフック７の第二アーム７４の第一端面７４１に位置付けられ、第二アーム７４の第二端面７４３は開口溝４２に対応し、ヘッド部７２の頂面７２１はスライド座４の側辺の開口部内に入り込み、ヘッド部７２の第二肩面７２３は開口部４１１の端面４１１１に対応する。
【００２０】
２．メモリーカード８が差し込まれたばかりの時に、メモリーカードの斜面とフックが接触する状態を図５に示す。メモリーカード８はフック７を外側へ回転させるように強制するため、フック７のヘッド部７２の頂面７２１はメモリーカード８の前端の傾斜角に衝突する。この時、メモリーカード８の圧迫作用の下で第二アーム７４の第三端面７４４と開口溝４２とは離れ、第一アーム７３の第一端面７３１とハウジング１の側面とは互いに突き当たる。
【００２１】
３．メモリーカード８が差し込まれた時に、メモリーカードの側面がフック７に接触する状態を図６に示す。
４．メモリーカード８が奥へ差し込まれず、フック７に対応する位置まで差し込まれた状態を図７に示す。フック７と弾性片１１の作用点は図６に示す通りであるが、メモリーカード７の側辺はフック７に突き当たらないため、フック７はメモリーカードの溝内を回転可能であり、フック７のヘッド部７２はメモリーカードの溝内に入り込むことが可能であり、フック７の第一アーム７３の第一端面７３１はハウジング１の側面に接触することがなくなる。
【００２２】
５．メモリーカード８が差し込まれるに伴ってスライド座４とフック７が前に移動する状態を図８に示す。メモリーカード８がロック位置まで差し込まれる時、弾性片１１とフック７の作用点は変わり、フック７の第二アーム７４の第一端面７４１と弾性片１１の前アーム１１１と後アーム１１２の折り曲げ箇所１１３とは互いに突き当たり、フック７のヘッド部７２の第二肩面７２３はスライド座の側壁上の開口部４１１の端面４１１１とメモリーカードの側辺の固定溝の前側面に接触する。この時の弾性片１１とフック７の相互作用力は最大に至るため、フック７のヘッド部７２は側壁の開口部４１１を横向きに通り、奥へ移動し、最大程度に至るまで作動するように強制される。従って、メモリーカード８を確実にロックすることが可能である。
【００２３】
６．メモリーカード８が一番奥の位置まで差し込まれるに伴ってフック７が弾性片１１の圧迫を受けて後へ移動する状態を図９に示す。この時、両者が至った位置は別々に弾性片１１の後アーム１１２上とフック７の第一アーム７３の第一端面７３１に据えられ、フック７はメモリーカード８を確実に引き止めることができる状態になる。
７．メモリーカード８が一番奥の位置から後退していく状態を図１０に示す。この時、フック７はまだメモリーカード８を部分的に引き止めることができるため、メモリーカードを取り出す際に、メモリーカードが飛び出したり、落下したりするような現象を防止することが可能となる。
【００２４】
（第２実施例）
本考案の第２実施例によるメモリーカードコネクタを図１１から図１３に示す。本考案の第２実施例によるメモリーカードコネクタは、第１実施例におけるフック７と開口溝４２の組み合わせの代わりに、フック７ａと開口溝４２ａの組み合わせを利用する。この時、スライド座４の側壁４１ａの外側に近い所に開口溝４２ａを有し、開口溝４２ａは側壁４１ａを横向きに貫通する開口部４１１ａに近い所に突出部４２１ａ、即ち、第一結合部を有し、開口部４１１ａはフック７ａに対応する端面４１１１ａを有する。
【００２５】
フック７ａの具体的な構成を図１３に示す。フック７ａは、一体となるヘッド部７２ａ、第一アーム７３ａ、第二アーム７４ａおよびそれらの三者を貫通する陥凹溝７１ａ、即ち、第一結合部を有する。ヘッド部７２ａの側端面は、頂面７２１ａ、第一肩面７２２ａおよび第二肩面７２３ａを有する。第一アーム７３ａの側端面は、第一端面７３１ａ、頂面７３２ａおよび第二端面７３３ａを有する。第二アーム７４ａの側端面は、第一端面７４１ａ、頂面７４２ａ、第二端面７４３ａおよび第三端面７４４ａを有する。
【００２６】
フック７ａは、開口溝４２ａ中に装着され、フック７ａの陥凹溝７１ａと開口溝４２ａ中の突出部４２１ａとが合わせられ、かつフック７ａは陥凹溝７１ａを介して突出部４２１ａに対して移動回転することが可能であり、フック７ａのヘッド部７２ａは開口部４１１ａからコネクタにおけるメモリーカードの収容室中に入り込み、かつ収容室内に据えられるメモリーカードの側辺の固定溝との組み合わせにより、メモリーカードを収容室内に固定することが可能である。
【００２７】
上述した通り、第１実施例におけるフック７と開口溝４２の構成または第２実施例におけるフック７ａと開口溝４２ａの構成にハウジング１とハウジング１内の弾性片１１の構成を加え、かつ弾性片１１の前アーム１１１、後アーム１１２、コネクタ内側に折り曲げられる前アーム１１１と後アーム１１２の連結箇所および開口溝４２または開口溝４２ａとフック７またはフック７ａとを良好に組み合わせれば、メモリーカードをコネクタ内にしっかりロックすることを実現させることが可能である。
【図面の簡単な説明】
【００２８】
【図１】本考案の第１実施例によるメモリーカードコネクタの要素を示す斜視図である。
【図２】本考案の図１のＡ部分を示す斜視図である。
【図３】本考案の第１実施例によるメモリーカードコネクタのフックを示す斜視図である。
【図４】本考案の第１実施例によるメモリーカードコネクタのメモリーカードが差し込まれる前の状態を示す模式図である。
【図５】本考案の第１実施例によるメモリーカードコネクタのメモリーカードが差し込まれた最初の状態を示す模式図である。
【図６】本考案の第１実施例によるメモリーカードコネクタの差し込まれたメモリーカードの側面がフックに接触する状態を示す模式図である。
【図７】本考案の第１実施例によるメモリーカードコネクタのメモリーカードがフックの位置まで差し込まれた状態を示す模式図である。
【図８】本考案の第１実施例によるメモリーカードコネクタのメモリーカードがロック位置まで差し込まれた状態を示す模式図である。
【図９】本考案の第１実施例によるメモリーカードコネクタの最初にメモリーカードが一番奥の位置まで差し込まれた状態を示す模式図である。
【図１０】本考案の第１実施例によるメモリーカードコネクタの最初にメモリーカードが一番奥の位置から後退していく状態を示す模式図である。
【図１１】本考案の第２実施例によるメモリーカードコネクタのスライド座を示す斜視図である。
【図１２】本考案の図２のＡ部分を示す斜視図である。
【図１３】本考案の第２実施例によるメモリーカードコネクタのフックを示す斜視図である。
【符号の説明】
【００２９】
１：ハウジング、２：基座、３：端子、４：スライド座、５：スプリング、６：誘導ピン、７：フック、７ａ：フック、８：メモリーカード、１１：弾性片、４１：側壁、４１ａ：側壁、４２：開口溝、４２ａ：開口溝、７１：突出部、７１ａ：陥凹溝、７２：ヘッド部、７２ａ：ヘッド部、７３：第一アーム、７３ａ：第一アーム、７４：第二アーム、７４ａ：第二アーム、１１１：前アーム、１１２：後アーム、１１３：前アームと後アームの折り曲げ箇所、４１１：開口部、４１１ａ：開口部、４２１：陥凹溝、４２１ａ：突出部、７２１：頂面、７２１ａ：頂面、７２２：第一肩面、７２２ａ：第一肩面、７２３：第二肩面、７２３ａ：第二肩面、７３１：第一端面、７３１ａ：第一端面、７３２：頂面、７３３：第二端面、７４１：第一端面、７４１ａ：第一端面、７４２：頂面、７４３：第二端面、７４４：第三端面、４１１１：開口端面、４１１１ａ：開口端面
【図１】
0003140066.tif 000003
【図２】
0003140066.tif 000004
【図３】
0003140066.tif 000005
【図４】
0003140066.tif 000006
【図５】
0003140066.tif 000007
【図６】
0003140066.tif 000008
【図７】
0003140066.tif 000009
【図８】
0003140066.tif 000010
【図９】
0003140066.tif 000011
【図１０】
0003140066.tif 000012
【図１１】
0003140066.tif 000013
【図１２】
0003140066.tif 000014
【図１３】
0003140066.tif 000015